(57)【要約】  ヘッド部材を上に配置した場合であっても、下に配置した場合であっても、ゴルフクラブを整然と陳列可能なゴルフクラブの陳列具を提供する。  ゴルフクラブ（３０）のシャフトを支持する支持部材（１２）を備え、該支持部材（１２）は、その一側に形成された開口（１４）から挿入されたゴルフクラブのシャフトの大径部分（３２）を収容可能な第１シャフト収容部（１６）と、該第１シャフト収容部（１６）の内周の一部に形成された開口から挿入されたゴルフクラブのシャフトの小径部分（３６）を収容可能な第２シャフト収容部（１８）と、を有し、前記第２シャフト収容部（１８）の最大径は、前記シャフトの大径部分（３２）の直径よりも小さく形成されていることを特徴とするゴルフクラブの陳列具である。
2010001630.tif 000002
【特許請求の範囲】
【請求項１】
ゴルフクラブのシャフトを支持する支持部材を備え、
該支持部材は、その一側に形成された開口から挿入されたゴルフクラブのシャフトの大径部分を収容可能な第１シャフト収容部と、該第１シャフト収容部の内周の一部に形成された開口から挿入されたゴルフクラブのシャフトの小径部分を収容可能な第２シャフト収容部と、を有し、
前記第２シャフト収容部の最大径は、前記シャフトの大径部分の直径よりも小さく形成されていることを特徴とするゴルフクラブの陳列具。
【請求項２】
前記第２シャフト収容部の開口の幅は、前記大径部分の直径よりも小さいことを特徴とする請求項１記載のゴルフクラブの陳列具。
【請求項３】
前記支持部材は、前記大径部分の直径よりも大きな幅の開口を有する第１シャフト収容部及び前記小径部分の直径よりも大きな開口を有する第２シャフト収容部を規定する支持部材本体と、前記開口の幅を前記大径部分の直径より小さくするように前記第１シャフト収容部の開口近傍に設けられた突出部材と、を有し、
前記突出部材は、前記支持部材よりも弾性作用を有することを特徴とする請求項１又は２記載のゴルフクラブの陳列具。
【請求項４】
ゴルフクラブのシャフトを支持する支持部材を備え、
該支持部材は、その一側に形成され、ゴルフクラブのシャフトの大径部分の直径よりも大きな幅の開口を有し、該開口から挿入されたゴルフクラブのシャフトの大径部分を収容可能な第１シャフト収容部を規定する支持部材本体と、ゴルフクラブのシャフトの小径部分の直径よりも小さな幅の開口を有し、開口から挿入されたゴルフクラブのシャフトの小径部分を収容可能な第２シャフト収容部を規定する突出部材と、を有し、
前記突出部材は、前記支持部材よりも弾性作用を有し、その復元作用によって収容されるゴルフクラブのシャフトの大径部分を押圧可能に構成されていることを特徴とするゴルフクラブの陳列具。
【請求項５】
前記突出部材は、前記支持部材本体と同じ素材で構成され、前記支持部材本体よりも肉薄に形成されていることを特徴とする請求項３又は４記載のゴルフクラブの陳列具。
【請求項６】
前記支持部材本体には、支持部材本体に剛性を付与する補強部材が設けられていることを特徴とする請求項５記載のゴルフクラブの陳列具。
【請求項７】
前記突出部材は、前記支持部材本体よりも柔軟で弾性力のある素材で構成されていることを特徴とする請求項３又は４記載のゴルフクラブの陳列具。
【請求項８】
前記支持部材は、前記第１シャフト収容部及び第２シャフト収容部を一つずつ有する支持部材本体が、長手方向に着脱可能に連結されることによって形成されていることを特徴とする請求項１乃至７いずれか記載のゴルフクラブの陳列具。
【請求項９】
支持部材の先端には、ＰＯＰ設置用クリップが設けられていることを特徴とする請求項１乃至８いずれか記載のゴルフクラブの陳列具。
【発明の詳細な説明】
【技術分野】
【０００１】
本発明は、ゴルフクラブを立てた状態で一列に陳列するためのゴルフクラブの陳列具に関するものである。
【背景技術】
【０００２】
従来から、ゴルフショップなどにおいては、顧客がゴルフクラブを選びやすくするために、複数のゴルフクラブを立てた状態で一列に陳列することが行われている。このような陳列を可能にするためのものとして、例えば、図１２に示されるようなゴルフクラブの陳列具７０が用いられている（特許文献１）。ゴルフクラブの陳列具７０は、ゴルフクラブのシャフト部分を支えるシャフト支持部材７１と、床に設置されて載置されるゴルフクラブのグリップ又はヘッド部材部を規制する陳列補助部材７６とからなる。シャフト支持部材７１は、長尺状の支持部材本体７２を備え、支持部材本体７２の長辺の一側に形成された開口７３から内部方向に切り欠かれたシャフト収容部７４が複数並設されている。陳列補助部材７６は、長尺状に形成され、その長手方向に並列され上方に向けて開口する複数の凹部７９を有する。ゴルフクラブの陳列具７０を用いて、ゴルフクラブのヘッド部材８４を上にして陳列する場合は、シャフト収容部７４においてシャフト８２を支持し、陳列補助部材７６の凹部７９にグリップ８３の上端を載置する。一方、ゴルフクラブのヘッド部材８４を下にして陳列する場合は、シャフト収容部７４においてシャフト８２を支持し、陳列補助部材７６の凹部７９に、ゴルフクラブのヘッド部材８４を載置する。
【特許文献１】特開２００７−２４４８２４
【発明の開示】
【発明が解決しようとする課題】
【０００３】
しかしながら、ゴルフクラブのシャフト８２は、グリップ８３側がヘッド部材８４側よりも太く形成されており、ゴルフクラブの陳列具７０は、上述のようにゴルフクラブのヘッド部材８４を上にも下にもして陳列することができるようにするために、シャフト収容部７４は、ゴルフクラブのシャフト８２の最大直径よりも大きな最小径を有する空間となっている。したがって、シャフト収容部７４にゴルフクラブのシャフト８２は支持されるものの、シャフト収容部７４の一定の位置においては支持されず、乱雑な陳列になるという問題を有する。【０００４】
そこで、本発明は、ヘッド部材を上に配置した場合であっても、下に配置した場合であっても、ゴルフクラブを整然と陳列可能なゴルフクラブの陳列具を提供することを目的とする。
【課題を解決するための手段】
【０００５】
上記の目的を達成するため、本発明に係るゴルフクラブの陳列具の第１の態様は、ゴルフクラブのシャフトを支持する支持部材を備え、該支持部材は、その一側に形成された開口から挿入されたゴルフクラブのシャフトの大径部分を収容可能な第１シャフト収容部と、該第１シャフト収容部の内周の一部に形成された開口から挿入されたゴルフクラブのシャフトの小径部分を収容可能な第２シャフト収容部と、を有し、前記第２シャフト収容部の最大径は、前記シャフトの大径部分の直径よりも小さく形成されていることを特徴とするゴルフクラブの陳列具である。【０００６】
また、上記目的を達成するため、本発明に係るゴルフクラブの陳列具の第２の態様は、ゴルフクラブのシャフトを支持する支持部材を備え、該支持部材は、その一側に形成され、ゴルフクラブのシャフトの大径部分の直径よりも大きな幅の開口を有し、該開口から挿入されたゴルフクラブのシャフトの大径部分を収容可能な第１シャフト収容部を規定する支持部材本体と、ゴルフクラブのシャフトの小径部分の直径よりも小さな幅の開口を有し、開口から挿入されたゴルフクラブのシャフトの小径部分を収容可能な第２シャフト収容部を規定する突出部材と、を有し、前記突出部材は、前記支持部材よりも弾性作用を有し、その復元作用によって収容されるゴルフクラブのシャフトの大径部分を押圧可能に構成されていることを特徴とするゴルフクラブの陳列具である。【０００７】
本発明に係るゴルフクラブのシャフトの大径部分とは、シャフトの平均直径より大きな直径を有し、ヘッド部材側を下にして陳列する際に支持するのに適した部分をいい、シャフトの小径部分とは、シャフトの平均直径より小さな直径を有し、グリップ側を下にして陳列する際に支持するのに適した部分をいう。【０００８】
以上のように本発明に係るゴルフクラブの陳列具によれば、ヘッド部材側を下にして陳列する場合は、第１シャフト収容部にシャフトの大径部分を収容させ、グリップ側を下にして陳列する場合は、第２シャフト収容部にシャフトの小径部分を収容させることによって、ゴルフクラブを整然と陳列することができる。【０００９】
本発明に係るゴルフクラブの陳列具の第１の態様において、前記支持部材は、前記大径部分の直径よりも大きな幅の開口を有する第１シャフト収容部及び前記小径部分の直径よりも大きな開口を有する第２シャフト収容部を規定する支持部材本体と、前記開口の幅を前記大径部分の直径より小さくするように前記第１シャフト収容部の開口近傍に設けられた突出部材と、を有し、前記突出部材は、前記支持部材よりも弾性作用を有することが好ましい。【００１０】
本発明に係るゴルフクラブの陳列具の第１の態様及び第２の態様において、前記突出部材は、前記支持部材本体と同じ素材で構成され、前記支持部材本体よりも肉薄に形成されても良く、その場合、支持部材本体に剛性を付与する補強部材を設けることが好ましい。また、前記突出部材は、前記支持部材本体よりも柔軟で弾性力のある素材で構成されても良い。前記突出部材を前記支持部材本体と同じ素材で構成する場合、これらを一体成型することが好ましい。また、前記突出部材を前記支持部材本体よりも柔軟で弾性力のある素材で構成する場合、柔軟で弾性力のある素材とは、ゴルフクラブが当たった際に、変形するが、復元可能な素材をいい、例えば、天然ゴムや合成ゴムなどがある。この際、支持部材本体は、硬質素材で構成されていることが好ましく、硬質素材とは、支持部材として成型された際に、ゴルフクラブが当たっても変形することがない程度の硬さを実現できる素材をいう。【００１１】
本発明に係るゴルフクラブの陳列具の第１の態様及び第２の態様においては、前記支持部材は、前記第１シャフト収容部及び第２シャフト収容部が一つずつ有する支持部材本体が、長手方向に着脱可能に連結されることによって形成されていることが好ましく、これにより、ゴルフクラブの陳列本数を自由に調節することができる。【００１２】
本発明においては、前記支持部材の先端には、ＰＯＰ設置用クリップが設けられていることが好ましく、これにより、ＰＯＰ表示が可能となる。
【発明の効果】
【００１３】
以上のように、本発明によれば、ヘッド部材を上に配置した場合であっても、下に配置した場合であっても、ゴルフクラブを整然と陳列可能なゴルフクラブの陳列具を提供することができる。
【発明を実施するための最良の形態】
【００１４】
次に、本発明に係るゴルフクラブの陳列具の第１実施例を図面に基づいて説明する。図１は、第１実施例に係るゴルフクラブ陳列具の使用状態を示す斜視図である。第１実施例に係るゴルフクラブ陳列具１は、図１に示されるように、ゴルフクラブ３０のシャフト部分を支持するためのシャフト支持部材１０と、床に設置されて載置されるゴルフクラブのグリップ３６又はヘッド部材３８を規制するゴルフクラブ陳列補助部材２０とからなる。ゴルフクラブ陳列補助部材２０は、上面に上方に向けた開口を有する凹部２４が複数並設されている。【００１５】
シャフト支持部材１０は、図２及び５に示すように、長尺状の板からなる支持部材本体１２と、断面矩形の長尺状に形成され、支持部材本体１２を長手方向に貫通する補強部材１３と、を備えており、支持部材本体１２には、ゴルフクラブのシャフトの大径部分３２を支持可能な第１シャフト収容部１６が長手方向に等間隔を置いて複数並設されている。【００１６】
第１シャフト収容部１６は、長辺側の一側に開口する第１開口１４を有し、この第１開口１４の幅は、ゴルフクラブのシャフトの大径部分３２の直径よりも若干大きく形成されている。また、第１シャフト収容部１６は、図３に示すように第１開口１４から斜め内側方向に切り欠かれて収容部を形成し、その奥側は、ゴルフクラブのシャフトの大径部分３２の径よりも若干大きな径を有する円弧状に形成されている。すなわち、第１シャフト収容部１６は、第１開口１４の一端部から斜め内側に延びる直線状部分１６ａが奥側の円弧状部分１６ｂに連続することによって規定されている。【００１７】
第１シャフト収容部１６の直線状部分１６ａには、支持部材本体１２の第１開口１４が形成された辺と連続して、第１開口１４の他端側に向かって突出する突出部材である抜防止部材１９が形成されている。この抜防止部材１９は、内側が円弧状に形成された約三角形状に形成され、その先端と第１開口１４の他端側の間隔は、ゴルフクラブのシャフトの大径部分３２の直径よりも小さくなるように形成されている。この抜防止部材１９と支持部材本体１２は、例えばエラストマーなどの樹脂によって一体成型されており、図４及び５に示すように、抜防止部材１９は、支持部材本体１２よりも肉薄に形成されている。以上のように、支持部部材本体１２に補強部材１３を貫通させ、抜防止部材１９を肉薄に形成することによって、抜防止部材１９に弾性作用を付与することができる。【００１８】
図３に示すように、第１シャフト収容部１６の円弧状部分１６ｂの抜防止部材１９と対向する位置には、ゴルフクラブのシャフトの小径部分３６を収容可能な第２シャフト収容部１８が形成されている。第２シャフト収容部１８は、第１シャフト収容部１６の円弧状部分１６ｂに開口する第２開口１７を有し、この第２開口１７の幅は、ゴルフクラブのシャフトの小径部分３４の直径よりも若干大きく、かつ大径部分３２の直径よりも小さく形成されている。また、第２シャフト収容部１８は、小径部分３４が収容されるのに十分な大きさを有し、その奥側は、ゴルフクラブのシャフトの小径部分３４の径よりも若干大きな径を有する円弧状に形成されている。【００１９】
支持部材本体１２の先端には、ＰＯＰ設置用クリップ１５が設けられている。図６に示されるように、ＰＯＰ設置用クリップ１５にＰＯＰ１７を固定することにより、ＰＯＰ１７の表示が可能となる。【００２０】
図１に示すように、第１実施例に係るゴルフクラブの陳列具１にヘッド部材３８を下にした状態でゴルフクラブ３０を陳列する場合、図３及び４に示されるように、ゴルフクラブ３０のシャフトの大径部分３２を第１開口１４から第１シャフト収容部１６に挿入する。この際、抜防止部材１９の先端と第１開口１４の他端側の間隔は、シャフトの大径部分３２の直径よりも小さいので、シャフトが抜防止部材１９に当たって変形するが、ゴルフクラブ３０が第１シャフト収容部１６に挿入された後は復元力により元の形状に戻る。シャフトの大径部分３２と第１シャフト収容部との間には、ほとんど空間がないので、シャフトは一定の位置で支持され、また抜防止部材１９によって収容されたゴルフクラブ３０が抜け落ちることはない。【００２１】
図７に示すように、第１実施例に係るゴルフクラブの陳列具１にヘッド部材３８を上にした状態でゴルフクラブ３０を陳列する場合、ゴルフクラブ３０のシャフトの小径部分３４を第１開口１４から挿入し、第１シャフト収容部１６を介して第２開口１７から第２シャフト収容部１８に挿入する。シャフトの小径部分３６と第２シャフト収容部１８との間には、ほとんど空間がないので、シャフトは一定の位置で支持される。【００２２】
次に、本発明に係るゴルフクラブ陳列具の第２実施例を図面に基づいて説明する。第２実施例に係るゴルフクラブ陳列具は、第１実施例と同様にシャフト支持部材５０とゴルフクラブ陳列補助部材とからなるが、シャフト支持部材５０の形状が第１実施例と異なる。【００２３】
第２実施例に係るゴルフクラブ陳列具において、シャフト支持部材５０は、図８及び１１に示すように、断面矩形の長尺状に形成された補強部材５２と、長手方向に連なって補強部材５２に着脱可能に装着される複数の支持部材本体５３とを備えている。支持部材本体５３は、第１実施例と同様にエラストマーなどの合成樹脂から形成されており、各支持部材本体５３には、ゴルフクラブのシャフトの大径部分３２を支持可能な第１シャフト収容部５６が一つ形成されている。【００２４】
支持部材本体５３の底面の基端側には、図１１に示されるように、長手方向に貫通する貫通孔が形成され、この貫通孔に補強部材５２が挿入されることによって、支持部材本体５３が補強部材５２に装着され連結されている。【００２５】
第１シャフト収容部５６は、補強部材５２に装着された際の長辺側の一側に開口する第１開口５４を有し、この第１開口５４の幅は、ゴルフクラブのシャフトの大径部分３２の直径よりも若干大きく形成されている。また、第１シャフト収容部５６は、図９に示すように第１開口５４から内側方向に切り欠かれて収容部を形成し、その奥側は、ゴルフクラブのシャフトの大径部分３２の径よりも若干大きな径を有する円弧状に形成されている。【００２６】
図９に示すように、第１シャフト収容部５６の内周には、突出部材である押圧部材６０が第１シャフト収容部５６のほぼ全域を覆うように突出している。この押圧部材６０の第１シャフト収容部５６の奥側には、ゴルフクラブのシャフトの小径部分３２を収容可能な第２シャフト収容部５８が形成されており、この第２シャフト収容部５８の前面側には、ゴルフクラブのシャフトの小径部分３２の直径よりも小さな幅を有し、前後方向に延びる第２開口５７が形成されている。第２開口５７の中間位置には、第２開口５７と交差するように、第２開口５７の延在方向と垂直な方向に延びるスリット６２が形成されている。押圧部材６０の第１開口５４側は、ゴルフクラブ３０のシャフトを第１シャフト収容部５６及び第２シャフト収容部５８に挿入し易いように、Ｖ字状に形成されている。この押圧部材６０と支持部材本体５３は、例えばエラストマーなどの樹脂によって一体成型されており、図１０及び１１に示すように、押圧部材６０は、支持部材本体５３よりも肉薄に形成されている。以上のように、支持部材本体５３に補強部材５２を貫通させ、押圧部材６０を肉薄に形成することによって、押圧部材６０に弾性作用を付与することができる。【００２７】
第２実施例に係るゴルフクラブの陳列具１にヘッド部材３８を下にした状態でゴルフクラブ３０を陳列する場合、図９及び１０に示されるように、ゴルフクラブ３０のシャフトの大径部分３２を第１開口５４から挿入する。この際、押圧部材６０が変形し、その復元作用によってシャフトの大径部分３２を押圧し、ゴルフクラブが一定の位置で支持される。この押圧部材６０の押圧によってゴルフクラブが第１収容部５６から抜け落ちるのを防止できる。【００２８】
第２実施例に係るゴルフクラブの陳列具１にヘッド部材３８を上にした状態でゴルフクラブ３０を陳列する場合、ゴルフクラブ３０のシャフトの小径部分３６を第２開口５７から第２シャフト収容部５８に挿入する。この際、第２開口５７の間隔は、シャフトの小径部分３６の直径よりも小さいので、シャフトが押圧部材６０に当たって変形するが、ゴルフクラブ３０が第２シャフト収容部５８に挿入された後は復元力により元の形状に戻る。シャフトの小径部分３６と第２シャフト収容部５８との間には、ほとんど空間がないので、シャフトは一定の位置で支持され、また押圧部材６０によってゴルフクラブが第１収容部５６から抜け落ちるのを防止できる。【００２９】
第２実施例に用いられているシャフト支持部材５０においては、支持部材本体５３は複数構成されているが、支持部材本体５３は一体となって構成されていてもよい。【００３０】
以上の第１実施例及び第２実施例に係るゴルフクラブの陳列具において、支持部材本体と抜防止部材又は押圧部材を一体成型し、抜防止部材及び押圧部材を肉薄に形成することによって、抜防止部材及び押圧部材に弾性作用を付与したが、抜防止部材及び押圧部材をゴムなどの柔軟性で弾性力のある素材で構成することによって、抜防止部材及び押圧部材に弾性作用を付与しても良い。
【図面の簡単な説明】
【００３１】
【図１】本発明に係るゴルフクラブ陳列具の第１実施例の使用状態を示す斜視図である。
【図２】第１実施例のシャフト支持部材の斜視図である。
【図３】第１実施例のシャフト支持部材の平面図である。
【図４】第１実施例のシャフト支持部材の側面図である。
【図５】図４のＡ−Ａ’線に沿った断面図である。
【図６】第１実施例のシャフト保持補助部材にＰＯＰを取り付けた状態を示す斜視図である。
【図７】第１実施例に係るゴルフクラブ陳列具の別の使用状態を示す斜視図である。
【図８】本発明に係るゴルフクラブ陳列具の第２実施例のシャフト支持部材の斜視図である。
【図９】第２実施例のシャフト支持部材の平面図である。
【図１０】第２実施例のシャフト支持部材の側面図である。
【図１１】図１０のＢ−Ｂ’線に沿った断面図である。
【図１２】従来のゴルフクラブ陳列具の使用状態を示す斜視図である。
【符号の説明】
【００３２】
１・・・ゴルフクラブ陳列具
１０・・・シャフト支持部材
１２・・・支持部材
１４・・・第１開口
１６・・・第１シャフト収容部
１７・・・第２開口
１８・・・第２シャフト収容部
２０・・・陳列補助部材
３０・・・ゴルフクラブ
３２・・・シャフトの大径部分
３６・・・シャフトの小径部分
【図１】
2010001630.tif 000003
【図２】
2010001630.tif 000004
【図３】
2010001630.tif 000005
【図４】
2010001630.tif 000006
【図５】
2010001630.tif 000007
【図６】
2010001630.tif 000008
【図７】
2010001630.tif 000009
【図８】
2010001630.tif 000010
【図９】
2010001630.tif 000011
【図１０】
2010001630.tif 000012
【図１１】
2010001630.tif 000013
【図１２】
2010001630.tif 000014
【手続補正書】
【提出日】平成21年11月24日(2009.11.24)
【手続補正１】
【補正対象書類名】特許請求の範囲
【補正対象項目名】全文
【補正方法】変更
【補正の内容】
【特許請求の範囲】
【請求項１】
ゴルフクラブのシャフトを支持する支持部材を備え、
該支持部材は、その一側に形成された開口から挿入されたゴルフクラブのシャフトの大径部分を収容可能な第１シャフト収容部と、該第１シャフト収容部の内周の一部に形成された開口から挿入されたゴルフクラブのシャフトの小径部分を収容可能な第２シャフト収容部と、を有し、
前記第２シャフト収容部の最大径は、前記シャフトの大径部分の直径よりも小さく形成されていることを特徴とするゴルフクラブの陳列具。
【請求項２】
前記第１シャフト収容部は、前記支持部材に形成された前記開口から斜め内側方向に切り欠かれて収容部が形成されていることを特徴とする請求項１記載のゴルフクラブの陳列具。
【請求項３】
前記第２シャフト収容部の開口の幅は、前記大径部分の直径よりも小さいことを特徴とする請求項１又は２記載のゴルフクラブの陳列具。
【請求項４】
前記支持部材は、前記大径部分の直径よりも大きな幅の開口を有する第１シャフト収容部及び前記小径部分の直径よりも大きな開口を有する第２シャフト収容部を規定する支持部材本体と、前記開口の幅を前記大径部分の直径より小さくするように前記第１シャフト収容部の開口近傍に設けられた突出部材と、を有し、
前記突出部材は、前記支持部材よりも弾性作用を有することを特徴とする請求項１乃至３いずれか記載のゴルフクラブの陳列具。
【請求項５】
ゴルフクラブのシャフトを支持する支持部材を備え、
該支持部材は、その一側に形成され、ゴルフクラブのシャフトの大径部分の直径よりも大きな幅の開口を有し、該開口から挿入されたゴルフクラブのシャフトの大径部分を収容可能な第１シャフト収容部を規定する支持部材本体と、ゴルフクラブのシャフトの小径部分の直径よりも小さな幅の開口を有し、開口から挿入されたゴルフクラブのシャフトの小径部分を収容可能な第２シャフト収容部を規定し、前記第１シャフト収容部を覆うように突出している突出部材と、を有し、
前記突出部材は、前記支持部材よりも弾性作用を有し、その復元作用によって収容されるゴルフクラブのシャフトの大径部分を押圧可能に構成されていることを特徴とするゴルフクラブの陳列具。
【請求項６】
前記突出部材は、前記支持部材本体と同じ素材で構成され、前記支持部材本体よりも肉薄に形成されていることを特徴とする請求項４又は５記載のゴルフクラブの陳列具。
【請求項７】
前記支持部材本体には、支持部材本体に剛性を付与する補強部材が設けられていることを特徴とする請求項６記載のゴルフクラブの陳列具。
【請求項８】
前記突出部材は、前記支持部材本体よりも柔軟で弾性力のある素材で構成されていることを特徴とする請求項４又は５記載のゴルフクラブの陳列具。
【請求項９】
前記支持部材は、前記第１シャフト収容部及び第２シャフト収容部を一つずつ有する支持部材本体が、長手方向に着脱可能に連結されることによって形成されていることを特徴とする請求項１乃至８いずれか記載のゴルフクラブの陳列具。
【国際調査報告】
2010001630.tif 000015
2010001630.tif 000016